(57)【特許請求の範囲】
【請求項１】
建築躯体に取付金具が固定され、該取付金具にサイディングが取り付けられており、該取付金具以外の箇所では該建築躯体とサイディングとの間に間隙があいている外壁に対して、仕上げ層が施工された外壁構造であって、
該間隙が増大することを防止するためにワッシャを介してビスがサイディングを通して前記建築躯体にねじ込まれている外壁構造において、
前記ワッシャは、前面側に向って凸に湾曲する湾曲部を有し、該湾曲部に前記ビスが挿通されたビス挿通孔が設けられており、該湾曲部が平坦になるまで、かつ所定大きさの前記間隙が残るように前記建築躯体にビスがねじ込まれていることを特徴とする外壁構造。
【請求項２】
請求項１において、該ワッシャは細長い形状を有しており、該ワッシャの長手方向が該サイディングの上下方向を向くように該ビスによって取り付けられていることを特徴とする外壁構造。
【請求項３】
請求項１又は２において、ネットが該ビス及びワッシャによって該サイディングに取り付けられており、該ネットに接着剤が塗着されており、該接着剤の上に該仕上げ層が施工されていることを特徴とする外壁構造。
【発明の詳細な説明】
【技術分野】
【０００１】
建築躯体に取付金具が固定され、該取付金具にサイディングが取り付けられており、該取付金具以外の箇所では該建築躯体とサイディングとの間に間隙があいている外壁に対して、仕上げ層が施工された外壁構造に関する。
【背景技術】
【０００２】
柱、間柱、胴縁等の建築躯体に外壁材が施工されてなる既設壁面を改修するために、該既設壁面に対して新規タイルを施工することは周知である。
【０００３】
例えば、特開２００３−２３９５００号には、横木に施工された既設サイディングにネットを張り、ねじ部材をネット、サイディングを介して横木にねじ込んでネットを止着し、該ネットに下地調整材及び接着剤を塗布し、その上からタイルを張り付ける外壁材の施工方法が開示されている。
【０００４】
また、外壁材を取付金具によって固定することは周知である。例えば、特開平６−１４６５３６号には、外壁に取付金具が釘打ち固定されており、該取付金具のフック片に外装材の上端ないし下端が係止された外装材の取付構造が開示されている。
【特許文献１】特開２００３−２３９５００号
【特許文献２】特開平６−１４６５３６号
【発明の開示】
【発明が解決しようとする課題】
【０００５】
上記特開２００３−２３９５００号のように、既設壁面に対して新たにタイルを施工する場合、タイルの施工後に既設壁面の裏側が乾燥して収縮することにより、既設壁面が表側に凸反りするという問題がある。かかる凸反りを防止するために、ビスによって既設壁面の外壁材を柱等に固定することが考えられる。
【０００６】
しかしながら、上記特開平６−１４６５３６号のように外壁材が取付金具によって柱等に固定されてなる既存壁面は、柱等と外壁材との間に取付金具が配置されているため、これら柱等と外壁材との間に隙間があいている。このため、該既存壁面にビスをねじ込みすぎると外壁材が柱等の側に凹反りするという問題がある。
【０００７】
本発明は、建築躯体とサイディングとの間に間隙があいている外壁に対して、仕上げ層が施工された外壁構造であって、サイディングの凸反り及び凹反りを十分に小さくすることが可能な外壁構造を提供することを目的とする。
【課題を解決するための手段】
【０００８】
請求項１の外壁構造は、建築躯体に取付金具が固定され、該取付金具にサイディングが取り付けられており、該取付金具以外の箇所では該建築躯体とサイディングとの間に間隙があいている外壁に対して、仕上げ層が施工された外壁構造であって、該間隙が増大することを防止するためにワッシャを介してビスがサイディングを通して前記建築躯体にねじ込まれている外壁構造において、前記ワッシャは、前面側に向って凸に湾曲する湾曲部を有し、該湾曲部に前記ビスが挿通されたビス挿通孔が設けられており、該湾曲部が平坦になるまで、かつ所定大きさの前記間隙が残るように前記建築躯体にビスがねじ込まれていることを特徴とするものである。
【０００９】
請求項２の外壁構造は、請求項１において、該ワッシャは細長い形状を有しており、該ワッシャの長手方向が該サイディングの上下方向を向くように該ビスによって取り付けられていることを特徴とするものである。
【００１０】
請求項３の外壁構造は、請求項１又は２において、ネットが該ビス及びワッシャによって該サイディングに取り付けられており、該ネットに接着剤が塗着されており、該接着剤の上に該仕上げ層が施工されていることを特徴とするものである。
【００１１】
既設外壁を本発明構造とする場合には、建築躯体に取付金具が固定され、該取付金具にサイディングが取り付けられており、該取付金具以外の箇所では該建築躯体とサイディングとの間に間隙があいている既存外壁に対して、改装用の仕上げ層を施工する既設外壁の改修方法であって、該間隙が増大することを防止するためにワッシャを介してビスをサイディングを通して前記建築躯体にねじ込み、次いで改装用の仕上げ層を施工する既設外壁の改修方法において、前記ワッシャは、前面側に向って凸に湾曲する湾曲部を有し、該湾曲部に前記ビスが挿通されるビス挿通孔が設けられており、該湾曲部が平坦になるまで、かつ所定大きさの前記間隙が残るように前記建築躯体にビスをねじ込むことを特徴とする既存外壁の改修方法を採用するのが好ましい。
【００１２】
この既設外壁の改修方法では、該ワッシャは細長い形状を有しており、該ワッシャの長手方向が該サイディングの上下方向を向くように該ワッシャを該ビスによって取り付けることが好ましい。
【００１３】
この既設外壁の改修方法では、ネットを該ビス及びワッシャによって該サイディングに取り付け、該ネットに接着剤を塗布し、該接着剤の上に該仕上げ層を施工することが好ましい。
【００１４】
この既設外壁の改修方法では、ビス打ち込み量制限機構付きの電動ビス打ち工具によってビスをねじ込むようにしてもよい。
【発明の効果】
【００１５】
本発明の外壁構造（請求項１）にあっては、サイディングがビス及びワッシャによって建築躯体に固定されるため、仕上げ層の施工後にサイディングに凸反りが生じることが防止される。また、ワッシャの湾曲部が平坦になるまで、かつ所定大きさの間隙が残るように建築躯体にビスをねじ込んだところでビスのねじ込みを停止することにより、ビスのねじ込み過ぎが回避される。これにより、サイディングに凹反りが生じることが防止される。
【００１６】
本発明において、ワッシャの長手方向が該サイディングの上下方向を向くようにして、ワッシャがビスによって取り付けられていることが好ましい。この場合、サイディングがビス及びワッシャによって上下方向にわたり広く押さえ付けられるため、仕上げ層の施工後にサイディングが凸反りすることがより確実に防止される。
【００１７】
本発明において、ネットがビスによってサイディングに取り付けられ、該ネットに接着剤が塗着され、該接着剤の上に該仕上げ層が施工されていることが好ましい。この場合、仕上げ層がサイディングに強固に張り付けられる。
【００１８】
本発明において、ビス打ち込み量制限機構付きの電動ビス打ち工具によってビスをねじ込むことにより、ビスの打ち込み過ぎがより確実に防止される。
【発明を実施するための最良の形態】
【００１９】
以下、図面を参照して本発明の実施の形態を詳細に説明する。
【００２０】
第１図は既存外壁の斜視図、第２図は第１図のII−II線に沿う縦断面図、第３図は第２図の取付金具の斜視図、第４図〜第６図はタイルの施工方法を示す斜視図、第７図（ａ）はビスの打ち込み途中の状態を示す縦断面図、第７図（ｂ）はビスの打ち込み後の状態を示す縦断面図、第８図は第７図のワッシャの斜視図である。
【００２１】
まず、第１図〜第３図を用いて、既存外壁の構成を説明する。
【００２２】
第１図、第２図に示す通り、柱２及び間柱３に取付金具１０が釘３２によって固定され、該取付金具１０のフック片２４にサイディング４が係止されることにより、既存外壁１が形成されている。
【００２３】
第３図に示す通り、この取付金具１０は、柱２又は間柱３の前面に対面する第１ベース部１４及び第２ベース部１６を備え、この第２ベース部１６から前方に水平片１８、上向斜片２０及び下向斜片２２よりなるフック片２４が突設されたものである。
【００２４】
第１ベース部１４と第２ベース部１６との間に、斜め下向きの第１斜面部２６が設けられると共に、第２ベース部１６の下端に第２斜面部２８が設けられており、第２ベース部１６が柱２又は間柱３の前面から所定距離だけ浮いた状態にて施工されるよう構成されている。
【００２５】
第１ベース部１４及び第１斜面部２６にはそれぞれ釘孔３０が設けられている。この釘孔３０を通して釘３２（釘以外のビス等であっても良い。）を柱２又は間柱３に打ち込むことにより、該取付金具１０が柱２又は間柱３に固定されている。
【００２６】
サイディング４は、その下端の前面側に下端実部４ｌを有すると共に、上端の背面側に上端実部４ｕを有している。
【００２７】
この下端実部４ｌを前記フック片２４に被せるように上段側のサイディング４Ａを取付金具１０に支承させる。
【００２８】
下段側のサイディング４Ｂの上端は、上端実部４ｕを下向斜片２２の背面側に差し込むことにより面出入り方向に拘束される。
【００２９】
次に、第４図〜第８図を用いて、この既存外壁１にタイルを施工する工程を説明する。
【００３０】
第４図に示すように、隣り合うサイディング４，４同士の継ぎ目に跨ってジョイントテープ５を貼り付ける。この実施の形態では、該ジョイントテープ５は、帯状の不織布の一方の面に粘着材料としてブチルゴムを付着ないし含浸させた片面粘着テープであり、厚み方向及び面方向の双方に弾力性（クッション性）を有している。なお、この実施の形態では、第４図の通り、サイディング４は左右方向に多列に且つ上下方向に多段に配設されており、ジョイントテープ５は、左右方向に隣接するサイディング４，４同士の継ぎ目に沿ってのみ設けられているが、上下に隣接するサイディング４，４同士の継ぎ目に沿っても設けられてもよい。
【００３１】
次に、第５図のように、外壁１の前面に両面粘着テープ４０を付着させる。この両面粘着テープ４０は、帯状の不織布の両面に粘着材料としてブチルゴムを付着ないし含浸させてなるものである。その後、合成繊維製のネット６を外壁１に重ね合わせ、該両面粘着テープ４０に付着させる。
【００３２】
次いで、ワッシャ９及びビス８によって該ネット６を外壁１に固定する。
【００３３】
本実施の形態では、第８図の通り、ワッシャ９は中央にビス挿通孔９ａが設けられた略椀形となっており、ワッシャ９の全体が前面側（第８図の上側）に向って凸に湾曲する湾曲部となっている。ワッシャ９は、球殻の一部を切り取ってなる形状であることが好ましいが、それに近似した形状であればよい。
【００３４】
第７図（ａ）の通り、ビス８をねじ込んでいくと、ワッシャ９がビス８の頭部とサイディング４の前面とによって挟持される。さらにビス８をねじ込んでいき、第７図（ｂ）の通り、該ワッシャ９が平坦になった状態でビス８のねじ込みを停止する。これにより、ビス８をねじ込み過ぎてサイディング４を柱２側に撓ませることなく、サイディング４をビス８及びワッシャ９によって柱２（又は間柱３）に確実に固定することができる。
【００３５】
ビス８のねじ込みは、ドライバーを用いて手で行ってもよく、電動ドライバーを用いて行ってもよい。電動ドライバーを用いる場合、特開２００６−２１２９８号のビスうち込み量調整具等のようなビスうち込み量制御機構付きの電動ドライバーを用いることが好ましい。この場合、ビスの打ち込み過ぎがより確実に防止される。
【００３６】
このネット６の目開きは５〜２０ｍｍ程度が好適である。
【００３７】
ワッシャ７は、このネット６の目開きよりも大きい径を有している。
【００３８】
次に、第６図のように、該ネット６を塗り込めるようにしてタイル接着用の弾性接着剤４１を塗着する。この弾性接着剤４１としては、変性エポキシ系あるいは変性シリコン系接着剤等を用いることができる。
【００３９】
その後、この弾性接着剤層４１の上に、仕上げ層としてタイル４２を押し当てて接着する。その後、必要に応じ目地詰めする。
【００４０】
このようにしてタイル張りされた外壁は、ワッシャの形状を確認しながらビスをねじ込むことにより、ビスをねじ込み過ぎてサイディングを柱側に撓ませることなく、サイディングをビス及びワッシャによって柱等に確実に固定することができる。これにより、サイディングに凸反り及び凹反りを有しない、美麗なタイル壁となる。
【００４１】
この実施の形態では、隣り合うサイディング４，４の継ぎ目に跨ってクッション性を有するジョイントテープ５が設けられているので、温度変化等により各サイディング４が膨張・収縮し、隣り合うサイディング４，４同士がずれた場合でも、このずれによってタイル４２に加えられる応力が該ジョイントテープ５によって吸収されるため、タイル４２の割れや剥離等を防止することができる。
【００４２】
また、このジョイントテープ５を介してネット６を仮留めしておくことができるので、ビス留め作業性が大幅に向上する。
【００４３】
上記実施の形態ではワッシャを椀形にしたが、これに限定されるものではない。例えば、第１０図のように、前面側に向って凸に湾曲した略長方形であり、長辺方向の一端側に偏った位置にビス挿通孔９ａが設けられたワッシャ９Ａを用いてもよい。このワッシャ９Ａをビス９によって取り付ける場合、第９図のように、該ワッシャ９Ａの長辺方向における他端側がサイディング４の中央側を向くようにして取り付けるのが好ましい。この場合、サイディング４が中央側までワッシャ９Ａによって押さえられるため、サイディング４の凸反りがより確実に防止される。また、第１１図の通り、中央にビス挿通孔９ａが設けられたワッシャ９Ｂを用いてもよい。なお、ワッシャは長方形に限定されるものではなく、例えば楕円形等であってもよい。
【００４４】
本実施の形態では、サイディングを柱及び間柱に固定したが、胴縁等の他の建築躯体に固定してもよい。
【００４５】
本実施の形態では、仕上げ層としてタイルを施工したが、変性シリコン、エポキシウレタン、アクリルエマルジョン、ポリウレタン等の塗り材を施工してもよい。
【図面の簡単な説明】
【００４６】
【図１】既存外壁の斜視図である。
【図２】第１図のII−II線に沿う縦断面図である。
【図３】第２図の取付金具の斜視図である。
【図４】タイルの施工方法を示す斜視図である。
【図５】タイルの施工方法を示す斜視図である。
【図６】タイルの施工方法を示す斜視図である。
【図７】（ａ）はビスの打ち込み途中の状態を示す縦断面図、（ｂ）はビスの打ち込み後の状態を示す縦断面図である。
【図８】ワッシャの斜視図である。
【図９】別のタイルの施工方法を示す斜視図である。
【図１０】第９図のワッシャの斜視図である。
【図１１】別のワッシャの斜視図である。
【符号の説明】
【００４７】
１  既存外壁
２  柱
３  間柱
４  サイディング
８  ビス
９，９Ａ  ワッシャ
１０  取付金具
４１  接着剤
４２  タイル
【図１】
0004655990.tif 000002
【図２】
0004655990.tif 000003
【図３】
0004655990.tif 000004
【図４】
0004655990.tif 000005
【図５】
0004655990.tif 000006
【図６】
0004655990.tif 000007
【図７】
0004655990.tif 000008
【図８】
0004655990.tif 000009
【図９】
0004655990.tif 000010
【図１０】
0004655990.tif 000011
【図１１】
0004655990.tif 000012